(57)【要約】【課題】  測長の際に正確にパターンの所望の位置を特定することができるレチクル及び半導体装置の製造方法を提供する。【解決手段】  縦横に延びるダイシングライン１２と、ダイシングライン１２に囲まれたチップ領域とをレジスト膜に形成する。また、ダイシングライン１２内に、その中心線を間に挟むようにして対をなす測長パターンを形成する。このようなパターンの形成が行われたレジスト膜に対して、ＣＤ−ＳＥＭを用いて測長を行う場合には、複数のチップ領域のうちから測長対象チップ領域１１ａを指定した後、その左方に位置する測長パターン１３ａの位置を特定する。そして、測長パターン１３ａを構成する２個の線状部位の間隔を測定する。この測定に当たっては、ダイシングライン１２の中心線よりも測長対象チップ領域１１ａ側の測定箇所１４の間隔を測定する。【選択図】  図３
2006154265.tif 000002
【特許請求の範囲】
【請求項１】
回路を構成するパターンが形成された回路領域と、
前記回路領域の周囲に設けられ、ダイシングラインに相当するダイシング領域と、
を有し、
前記ダイシング領域には、その中心線の内側に測長パターンが形成されていることを特徴とするレチクル。
【請求項２】
前記測長パターンは、前記中心線の外側にパターンが形成されている場合には、少なくとも前記外側のパターンから分離された部位を有することを特徴とする請求項１に記載のレチクル。
【請求項３】
前記測長パターンは、互いに離間して配置された少なくとも２個の線状部位を有することを特徴とする請求項１又は２に記載のレチクル。
【請求項４】
前記測長パターンは、前記ダイシング領域内の少なくとも２箇所に形成されていることを特徴とする請求項１乃至３のいずれか１項に記載のレチクル。
【請求項５】
前記測長パターンは、
前記中心線の内側に形成され、前記中心線と平行に延びる第１の線状部位と、
前記第１の線状部位から離間して配置され、前記中心線と直交する方向に延びる第２の線状部位と、
を有することを特徴とする請求項１乃至４のいずれか１項に記載のレチクル。
【請求項６】
チップ領域内に回路パターンを転写すると共に、ダイシングライン内に測長パターンを転写する工程と、
測長の対象とするチップ領域と同じショットで転写された測長パターンの測長を行う工程と、
を有する半導体装置の製造方法であって、
前記測長パターンとして、前記ダイシングラインの中心線の同じショットで転写されるチップ領域側に、その反対側から分離された部位を有する測長パターンを転写することを特徴とする半導体装置の製造方法。
【請求項７】
前記測長パターンとして、互いに離間して配置された少なくとも２個の線状部位を有するものを転写することを特徴とする請求項６に記載の半導体装置の製造方法。
【請求項８】
前記測長パターンを、１ショットで前記ダイシングライン内の少なくとも２箇所に転写することを特徴とする請求項６又は７に記載の半導体装置の製造方法。
【請求項９】
前記測長パターンの測長を行う工程は、
前記ダイシングラインの中心線を基準として前記測長パターンの位置を特定する工程と、
前記測長パターンの前記中心線よりもチップ領域側の部位の測長を行う工程と、
を有することを特徴とする請求項６乃至８のいずれか１項に記載の半導体装置の製造方法。
【請求項１０】
前記測長パターンとして、
前記ダイシングラインの中心線の同じショットで転写されるチップ領域側に形成され、前記中心線と平行に延びる第１の線状部位と、
前記第１の線状部位から離間して配置され、前記中心線と直交する方向に延びる第２の線状部位と、
を有するものを転写することを特徴とする請求項６乃至９のいずれか１項に記載の半導体装置の製造方法。
【発明の詳細な説明】
【技術分野】
【０００１】
本発明は、加工精度の検証等に好適なレチクル及び半導体装置の製造方法に関する。
【背景技術】
【０００２】
従来、レチクルを用いてレジスト膜にパターンを転写した後には、その精度の確認等を目的として、測長を行っている。また、この測長の際には、実際の回路を構成するパターンの測長を行うのではなく、測長専用の測長パターンを転写しておき、この測長パターンの測長を行う。そして、この測長パターンは、近時、ダイシングライン上に形成されるようになっている。
【０００３】
図８は、従来のレチクルを示す模式図である。レチクル１０１は、実際の回路を構成するパターンが形成された回路領域１０２と、その周囲に設けられたダイシング領域１０３とに区画されている。ダイシング領域１０３には、回路のパターンは形成されていないが、測長パターン１０４が形成されている。測長パターン１０４は、ダイシング領域１０３の中央に形成されている。
【０００４】
ウェハ上に形成されたレジスト膜に、このようなレチクル１０１を用いてパターンの転写を複数回行い、更に現像を行うと、図９に示すように、縦横に延びるダイシングライン１１２と、ダイシングライン１１２に囲まれたチップ領域１１１とがレジスト膜に形成される。また、ダイシングライン１１２の中心線上には、左右対称の測長パターン１１３が形成される。なお、図９中の二点鎖線で囲まれた領域が、１ショットで転写される部分である。但し、この領域内には２個の測長パターン１１３が存在しているが、右側の測長パターン１１３は、別のショットで転写される部分である。
【０００５】
このような転写及び現像が行われたレジスト膜に対して、測長走査型電子顕微鏡（ＣＤ−ＳＥＭ：Critical Dimension Scanning Electron Microscope）を用いて測長を行う場合には、図１０に示すように、複数のチップ領域１１１のうちから測長対象チップ領域１１１ａを指定した後、その左方に位置する測長パターン１１３の位置を特定する。そして、測長パターン１１３を構成する２個の線状部位の間隔を測定する。但し、この測定に当たっては、ダイシングライン１１２の中心線よりも測長対象チップ領域１１１ａ側の測定箇所１１４ａの間隔を測定する必要がある。これは、測長パターン１１３を基準として測長対象チップ領域１１１ａの反対側に位置する隣接チップ領域１１１ｂ側の測長箇所１１４ｂの間隔を測定すると、実際には所望の測長を行っているにもかかわらず、ＣＤ−ＳＥＭから隣接チップ領域１１１ｂに対する測長を行っている旨の表示等がされ、混乱を来たすからである。
【０００６】
ところが、従来の方法では、ダイシングライン１１２の中心線より測長対象チップ領域１１１ａ側の測長箇所１１４ａと隣接チップ領域１１１ｂ側の測長箇所１１４ｂとを区別することが困難であり、誤って測長箇所１１４ｂの間隔を測定してしまうことがある。
【０００７】
このような問題は、１ショットで１チップの露光を行う場合だけでなく、図１１に示すように、１ショットで複数チップの露光を行う場合にも生じている。
【０００８】
【特許文献１】特開平８−１４８４９０号公報
【特許文献２】特開平５−３３３５２６号公報
【特許文献３】特開昭５９−５５０２９号公報
【発明の開示】
【発明が解決しようとする課題】
【０００９】
本発明は、測長の際に正確にパターンの所望の位置を特定することができるレチクル及び半導体装置の製造方法を提供することを目的とする。
【課題を解決するための手段】
【００１０】
本願発明者は、前記課題を解決すべく鋭意検討を重ねた結果、以下に示す発明の諸態様に想到した。
【００１１】
本発明に係るレチクルは、回路を構成するパターンが形成された回路領域と、前記回路領域の周囲に設けられ、ダイシングラインに相当するダイシング領域と、を有し、前記ダイシング領域には、その中心線の内側に測長パターンが形成されていることを特徴とする。
【００１２】
本発明に係る半導体装置の製造方法は、チップ領域内に回路パターンを転写すると共に、ダイシングライン内に測長パターンを転写する工程と、測長の対象とするチップ領域と同じショットで転写された測長パターンの測長を行う工程と、を有する半導体装置の製造方法であって、前記測長パターンとして、前記ダイシングラインの中心線の同じショットで転写されるチップ領域側に、その反対側から分離された部位を有する測長パターンを転写することを特徴とする。
【発明の効果】
【００１３】
本発明によれば、確実に測長パターンの所望の位置において測長を行うことができる。このため、ＣＤ−ＳＥＭを用いて測長を行う場合であっても、無用な混乱を受けることを回避することができる。
【発明を実施するための最良の形態】
【００１４】
以下、本発明の実施形態について添付の図面を参照して具体的に説明する。図１は、本発明の実施形態に係るレチクルを示す模式図である。
【００１５】
本実施形態に係るレチクル１は、実際の回路を構成するパターンが形成された回路領域２と、その周囲に設けられたダイシング領域３とに区画されている。ダイシング領域３には、回路のパターンは形成されていないが、測長パターン４が形成されている。測長パターン４は、ダイシング領域３の中心線よりも回路領域２側に形成されている。測長パターン４は、例えば、互いに離間した２つの線状部位を備えている。また、これらの線状部位は、互いに直交する方向に延びている。更に、測長パターン４は、回路領域２を間に挟むようにして、ダイシング領域３の２箇所に形成されている。
【００１６】
そして、ウェハ上に形成されたレジスト膜に、このようなレチクル１を用いて露光を行うと、回路領域２に形成されたパターン（図示せず）及び測長パターン４がレジスト膜に転写される。また、露光の度に、１チップ分ずつウェハの位置をずらすことにより、ウェハの全体に上述のようなパターンを転写することができる。そして、現像を行うことにより、レズスト膜のポジ型／ネガ型に応じて、転写したパターンが残存するか、又は除去され、他の部分が除去されるか、又は残存することになる。この結果、図２に示すように、縦横に延びるダイシングライン１２と、ダイシングライン１２に囲まれたチップ領域１１とがレジスト膜に形成される。また、ダイシングライン１２内には、その中心線を間に挟むようにして対をなす測長パターン１３が形成される。
【００１７】
このようなパターンの形成が行われたレジスト膜に対して、ＣＤ−ＳＥＭを用いて測長を行う場合には、図３に示すように、複数のチップ領域１１のうちから測長対象チップ領域１１ａを指定した後、その左方に位置する測長パターン１３ａの位置を特定する。そして、測長パターン１３ａを構成する２個の線状部位の間隔を測定する。但し、この測定に当たっては、前述のように、ダイシングライン１２の中心線よりも測長対象チップ領域１１ａ側の測定箇所１４の間隔を測定する必要がある。
【００１８】
本実施形態では、ダイシングライン１２の中心線よりも測長対象チップ領域１１ａ側に位置する測長パターン１３ａと、隣接チップ領域１１ｂ側に位置する測長パターン１３ｂとが互いに分離されているため、従来とは異なり、測長パターン１３ｂではなく、確実に測長パターン１３ａの位置を特定し、その測長箇所１４の間隔を測定することができる。従って、ＣＤ−ＳＥＭに備えられた表示装置に測長の対象としている旨の表示がされるチップ領域１１と測長を行っている測長パターン１３との整合性を確実に確保することができる。このため、混乱を来たすことがない。
【００１９】
また、１ショットの露光でチップ領域１１を間に挟む２箇所に測長パターン１３が転写されるため、当該露光における全体的なずれ等を容易に把握することも可能である。
【００２０】
なお、レチクルに設ける測長パターン４の形態は、図１に示すものに限定されることはない。例えば、図４に示すように、ダイシング領域３の中心線と交差する１本の線状部位と、中心線を間に挟んで中心線と平行に延びる２本の線状部位とから構成された測長パターン４を設けてもよい。この場合、転写の際に隣り合うチップ領域間で測長パターンが重なり合わないようにするために、測長パターン４は、回路領域２の左右で対称とならないようにする。例えば、回路領域２の左側のみに測長パターン４を設ける。
【００２１】
そして、このようなレチクル１を用いてレジスト膜に形成された測長パターン１３は、図５に示すようなものとなる。即ち、測長パターン１３は、ダイシングライン１２の中心線と交差する１本の線状部位と、中心線を間に挟んで中心線と平行に延びる２本の線状部位とから構成されたものとなる。
【００２２】
この場合においても、中心線と平行に延びる２本の線状部位に関しては、ダイシングライン１２の中心線よりも測長対象チップ領域１１ａ側に位置するものと、隣接チップ領域１１ｂ側に位置するものとが互いに分離されているため、確実に所望の測長箇所１４の間隔を測定することができる。従って、ＣＤ−ＳＥＭにより、測長の対象としている旨の表示等がされるチップ領域１１と測長を行っている測長パターン１３との整合性を確実に確保することができ、混乱を来たすことがない。
【００２３】
また、図６に示すように、図１に示す測長パターン４を回路領域２の一側方のみに設けてもよい。この場合には、図７に示すような測長パターン１３がレジスト膜に形成されるため、確実に所望の測長箇所１４の間隔を測定することができ、混乱を来たすことがない。
【００２４】
なお、これらの説明では、レチクル１のダイシング領域３がレジスト膜に形成されるダイシングライン１２と整合し、ダイシング領域３の中心線よりも回路領域２側に形成されたパターンが、ダイシングライン１２の中心線よりも同じショットで形成されるチップ領域１１側に転写されるものとしているが、これらの事項は必須ではない。例えば、ダイシング領域３の中心線よりも外側に形成された測長パターン４であっても、これがダイシングライン１２の中心線よりも同じショットで形成されるチップ領域１１側に転写され、所望の測長箇所１４を、隣接するチップ領域側に存在する測長箇所から分離されていれば、確実に所望の測長箇所１４の間隔を測定することができ、測定対象チップ領域１１ａと隣接チップ領域１１ｂとの間で混乱を来たすことがない。
【００２５】
また、レチクル１に形成する測長パターン４は、レジスト膜のポジ型／ネガ型等に応じて、抜きパターン又は残しパターンのいずれかにすることができる。
【００２６】
レチクル１を用いずに電子線描画等によりレジスト膜に直接測長パターン１３を形成してもよい。
【００２７】
以下、本発明の諸態様を付記としてまとめて記載する。
【００２８】
（付記１）
回路を構成するパターンが形成された回路領域と、
前記回路領域の周囲に設けられ、ダイシングラインに相当するダイシング領域と、
を有し、
前記ダイシング領域には、その中心線の内側に測長パターンが形成されていることを特徴とするレチクル。
【００２９】
（付記２）
前記測長パターンは、前記中心線の外側にパターンが形成されている場合には、少なくとも前記外側のパターンから分離された部位を有することを特徴とする付記１に記載のレチクル。
【００３０】
（付記３）
前記測長パターンは、互いに離間して配置された少なくとも２個の線状部位を有することを特徴とする付記１又は２に記載のレチクル。
【００３１】
（付記４）
前記測長パターンは、前記ダイシング領域内の少なくとも２箇所に形成されていることを特徴とする付記１乃至３のいずれか１項に記載のレチクル。
【００３２】
（付記５）
前記測長パターンは、前記回路領域を間に挟む２箇所に形成されていることを特徴とする付記４に記載のレチクル。
【００３３】
（付記６）
前記測長パターンは、
前記中心線の内側に形成され、前記中心線と平行に延びる第１の線状部位と、
前記第１の線状部位から離間して配置され、前記中心線と直交する方向に延びる第２の線状部位と、
を有することを特徴とする付記１乃至５のいずれか１項に記載のレチクル。
【００３４】
（付記７）
チップ領域内に回路パターンを転写すると共に、ダイシングライン内に測長パターンを転写する工程と、
測長の対象とするチップ領域と同じショットで転写された測長パターンの測長を行う工程と、
を有する半導体装置の製造方法であって、
前記測長パターンとして、前記ダイシングラインの中心線の同じショットで転写されるチップ領域側に、その反対側から分離された部位を有する測長パターンを転写することを特徴とする半導体装置の製造方法。
【００３５】
（付記８）
前記測長パターンの測長を行う工程において、測長走査型電子顕微鏡を用いることを特徴とする付記７に記載の半導体装置の製造方法。
【００３６】
（付記９）
前記測長パターンとして、互いに離間して配置された少なくとも２個の線状部位を有するものを転写することを特徴とする付記７又は８に記載の半導体装置の製造方法。
【００３７】
（付記１０）
前記測長パターンを、１ショットで前記ダイシングライン内の少なくとも２箇所に転写することを特徴とする付記７乃至９のいずれか１項に記載の半導体装置の製造方法。
【００３８】
（付記１１）
前記測長パターンを、前記チップ領域を間に挟む２箇所に転写することを特徴とする付記１０に記載の半導体装置の製造方法。
【００３９】
（付記１２）
前記測長パターンの測長を行う工程は、
前記ダイシングラインの中心線を基準として前記測長パターンの位置を特定する工程と、
前記測長パターンの前記中心線よりもチップ領域側の部位の測長を行う工程と、
を有することを特徴とする付記７乃至１１のいずれか１項に記載の半導体装置の製造方法。
【００４０】
（付記１３）
前記測長パターンとして、
前記ダイシングラインの中心線の同じショットで転写されるチップ領域側に形成され、前記中心線と平行に延びる第１の線状部位と、
前記第１の線状部位から離間して配置され、前記中心線と直交する方向に延びる第２の線状部位と、
を有するものを転写することを特徴とする付記７乃至１２のいずれか１項に記載の半導体装置の製造方法。
【００４１】
（付記１４）
前記測長の結果を、測長の対象としたチップ領域と共に表示装置に表示させる工程を有することを特徴とする付記７乃至１３のいずれか１項に記載の半導体装置の製造方法。
【図面の簡単な説明】
【００４２】
【図１】本発明の実施形態に係るレチクルを示す図である。
【図２】レジスト膜に転写されるパターンを示す図である。
【図３】本発明の実施形態における測長方法を示す図である。
【図４】レチクルの他の例を示す図である。
【図５】図４に示すレチクルを用いた場合に転写されるパターンを示す図である。
【図６】レチクルの更に他の例を示す図である。
【図７】図６に示すレチクルを用いた場合に転写されるパターンを示す図である。
【図８】従来のレチクルを示す図である。
【図９】１ショットで１チップの露光を行った場合のパターンを示す図である。
【図１０】従来の方法でレジスト膜に転写された測長パターンを示す図である。
【図１１】１ショットで複数チップの露光を行った場合のパターンを示す図である。
【符号の説明】
【００４３】
１：レチクル
２：回路領域
３：ダイシング領域
４：測長パターン
１１：チップ領域
１１ａ：測長対象チップ領域
１１ｂ：隣接チップ領域
１２：ダイシングライン
１３、１３ａ、１３ｂ：測長パターン
【図１】
2006154265.tif 000003
【図２】
2006154265.tif 000004
【図３】
2006154265.tif 000005
【図４】
2006154265.tif 000006
【図５】
2006154265.tif 000007
【図６】
2006154265.tif 000008
【図７】
2006154265.tif 000009
【図８】
2006154265.tif 000010
【図９】
2006154265.tif 000011
【図１０】
2006154265.tif 000012
【図１１】
2006154265.tif 000013